(57)【特許請求の範囲】
【請求項１】
原稿読み取り位置に原稿を搬送する原稿搬送手段と、
前記原稿読み取り位置に設けられた第１透明部材と、
前記第１透明部材と併設された、原稿が載置される第２透明部材と、
前記第１透明部材及び前記第２透明部材に沿って移動可能に設けられ、前記第１透明部材及び前記第２透明部材を介して原稿を読み取る読取手段と、を備え、
前記原稿読み取り位置において原稿と前記第１透明部材との間には隙間が形成され、
前記隙間の大きさをｓ、
前記第１透明部材の屈折率をｎ１、
前記第１透明部材の厚みをｔ１、
前記第２透明部材の屈折率をｎ２、
前記第２透明部材の厚みをｔ２、
前記読取手段が備える読取レンズの上面と前記第１透明部材との間隔をｄ１、
前記読取レンズの上面と前記第２透明部材との間隔をｄ２、としたときに、
[ｓ＋ｔ１／ｎ１＋ｄ１]で得られる値と、
[ｔ２／ｎ２＋ｄ２]で得られる値と、が同じかほぼ等しく、
前記読取手段には、前記第１透明部材及び前記第２透明部材に対して突出する第１突出部及び第２突出部が設けられ、
前記読取手段が前記第１透明部材と対向する位置にある場合、前記第１突出部及び前記第２突出部のうち前記第１突出部のみが前記第１透明部材と接することで、前記間隔ｄ１が規定され、
前記読取手段が前記第２透明部材と対向する位置にある場合、前記第１突出部及び前記第２突出部のうち前記第２突出部のみが前記第２透明部材と接することで、前記間隔ｄ２が規定される構成を備える、
ことを特徴とする画像読取装置。
【請求項２】
原稿読み取り位置に原稿を搬送する原稿搬送手段と、
前記原稿読み取り位置に設けられた第１透明部材と、
前記第１透明部材と併設された、原稿が載置される第２透明部材と、
前記第１透明部材及び前記第２透明部材に沿って移動可能に設けられ、前記第１透明部材及び前記第２透明部材を介して原稿を読み取る読取手段と、を備え、
前記原稿読み取り位置において原稿と前記第１透明部材との間には隙間が形成され、
前記隙間の大きさをｓ、
前記第１透明部材の屈折率をｎ１、
前記第１透明部材の厚みをｔ１、
前記第２透明部材の屈折率をｎ２、
前記第２透明部材の厚みをｔ２、
前記読取手段が備える読取レンズの上面と前記第１透明部材との間隔をｄ１、
前記読取レンズの上面と前記第２透明部材との間隔をｄ２、としたときに、
[ｓ＋ｔ１／ｎ１＋ｄ１]で得られる値と、
[ｔ２／ｎ２＋ｄ２]で得られる値と、が同じかほぼ等しく、
前記第２透明部材において前記読取手段と対向する側に厚みｇのシート材が貼り付けられ、前記読取手段の一部が前記シート材に接することで、前記間隔ｄ２の一部を前記厚みｇが構成する、
ことを特徴とする画像読取装置。
【請求項３】
請求項１または請求項２のいずれか一項に記載の画像読取装置において、前記間隔ｄ１と前記間隔ｄ２とが同じかほぼ等しく、
前記厚みｔ２が、前記隙間ｓ＋前記厚みｔ１に合わせて設定されている、
ことを特徴とする画像読取装置。
【請求項４】
請求項１または請求項２のいずれか一項に記載の画像読取装置において、前記厚みｔ１と前記厚みｔ２と、が同じかほぼ等しいとともに、前記屈折率ｎ１と前記屈折率ｎ２と、が同じかほぼ等しい、
ことを特徴とする画像読取装置。
【請求項５】
請求項１に記載の画像読取装置において、前記第２透明部材において前記読取手段と対向する側に厚みｇのシート材が貼り付けられ、前記読取手段の一部が前記シート材に接することで、前記間隔ｄ２の一部を前記厚みｇが構成する、
ことを特徴とする画像読取装置。
【請求項６】
請求項１から請求項５のいずれか一項に記載の画像読取装置において、前記第１透明部材において前記読取手段と対向する面と、前記第２透明部材において前記読取手段と対向する面と、が面一である、
ことを特徴とする画像読取装置。
【請求項７】
請求項２から請求項６のいずれか一項に記載の画像読取装置において、前記読取手段には、前記第１透明部材及び前記第２透明部材に対して突出する第１突出部及び第２突出部が設けられ、
前記読取手段が前記第１透明部材と対向する位置にある場合、前記第１突出部及び前記第２突出部のうち前記第１突出部のみが前記第１透明部材と接することで、前記間隔ｄ１が規定され、
前記読取手段が前記第２透明部材と対向する位置にある場合、前記第１突出部及び前記第２突出部のうち前記第２突出部のみが前記第２透明部材と接することで、前記間隔ｄ２が規定される構成を備える、
ことを特徴とする画像読取装置。
【請求項８】
原稿読み取り位置に原稿を搬送する原稿搬送手段と、
前記原稿読み取り位置に設けられた第１透明部材と、
前記第１透明部材と併設された、原稿が載置される第２透明部材と、
前記第１透明部材及び前記第２透明部材に沿って移動可能に設けられ、前記第１透明部材及び前記第２透明部材を介して原稿を読み取る読取手段と、を備え、
前記原稿読み取り位置において原稿と前記第１透明部材との間には隙間が形成され、
前記読取手段は、前記第１透明部材及び前記第２透明部材に沿って移動する際に摺動する摺動面を有し、
前記摺動面から、前記第１透明部材から離間した原稿までの第１光路長と、前記摺動面から、前記第２透明部材の原稿載置面までの第２光路長とが、同じかほぼ等しくなるように構成され、
前記第２透明部材において前記読取手段と対向する側にシート材が貼り付けられ、前記読取手段の一部が前記シート材に接することで、前記第２光路長の一部が前記シート材の厚みによって構成される、
ことを特徴とする画像読取装置。
【請求項９】
原稿読み取り位置に原稿を搬送する原稿搬送手段と、
前記原稿読み取り位置に設けられた第１透明部材と、
前記第１透明部材と併設された、原稿が載置される第２透明部材と、
前記第１透明部材及び前記第２透明部材に沿って移動可能に設けられ、前記第１透明部材及び前記第２透明部材を介して原稿を読み取る読取手段と、を備え、
前記原稿読み取り位置において原稿と前記第１透明部材との間には隙間が形成され、
前記読取手段は、前記第１透明部材及び前記第２透明部材に沿って移動する際に摺動する摺動面を有し、
前記摺動面から、前記第１透明部材から離間した原稿までの第１光路長と、前記摺動面から、前記第２透明部材の原稿載置面までの第２光路長とが、同じかほぼ等しくなるように構成され、
前記読取手段には、前記第１透明部材及び前記第２透明部材に対して突出する第１突出部及び第２突出部が設けられ、
前記読取手段が前記第１透明部材と対向する位置にある場合、前記第１突出部及び前記第２突出部のうち前記第１突出部のみが前記第１透明部材と接することで、前記第１光路長が規定され、
前記読取手段が前記第２透明部材と対向する位置にある場合、前記第１突出部及び前記第２突出部のうち前記第２突出部のみが前記第２透明部材と接することで、前記第２光路長が規定される構成を備える、
ことを特徴とする画像読取装置。
【発明の詳細な説明】
【技術分野】
【０００１】
本発明は、スキャナーに代表される画像読取装置に関する。
【背景技術】
【０００２】
画像読取装置の一例であるスキャナー、特に原稿を原稿ガラスに載置して読み取る所謂フラットベッド型のスキャナーには、原稿搬送装置（ＡＤＦ（Auto Document Feeder）とも呼ばれる）が設けられ、複数枚の原稿の自動送りと読み込みとを行える様に構成される場合がある。原稿自動搬送装置は原稿を読取位置に搬送し、読取手段は、読取位置において停止した状態で、搬送される原稿を読み取る。
【０００３】
原稿ガラスは、原稿搬送装置によって搬送される原稿を読み取る為の原稿ガラスと、原稿全体をカバーする大きさに形成され、原稿を載置する為の原稿ガラスと、が設けられる。読取手段は、前者の原稿ガラスと対向する位置で停止した状態で、原稿搬送装置によって搬送される原稿を読み取る。また読取手段は、後者の原稿ガラスと対向する領域では、原稿に対して所定方向（副走査方向）に自ら移動することで原稿全体を読み取る。
【０００４】
ここで、原稿搬送装置によって搬送される原稿が読取位置で原稿ガラスに接しながら搬送されると、ガラス面上に擦り傷が形成されたり、或いは原稿に付着している紙粉、糊等の異物がガラス面に付着して、読み取り不良を招く虞がある。そこで従来から、特許文献１、２に示される様に読取位置の少し手前にシート部材を設け、このシート部材によって原稿とガラス面との間に隙間を形成し、搬送される原稿が原稿ガラスに接触しないように工夫されたものがある。
【先行技術文献】
【特許文献】
【０００５】
【特許文献１】特開平０９−３０７６９５号公報
【特許文献２】特開平２００７−２２１５９０号公報
【発明の概要】
【発明が解決しようとする課題】
【０００６】
ところで近年、画像読取装置にはより一層の小型化が求められている。一方、画像読取装置の読み取りセンサーには縮小光学系方式と、密着光学系方式とがある。縮小光学系方式は、光学系が複雑になり装置が大型化する反面、光路長が長くとれる為に被写界深度が深く、原稿が原稿ガラスに密着していなくても焦点が合いやすい。これに対し密着光学系方式は、光学系が単純であり小型化を図れる反面、光路長が短いために被写界深度が浅くなり、原稿が原稿ガラスに密着していないと焦点が合わないという性質を有している。
【０００７】
近年のより一層の小型化の要請に応える為には密着光学系方式を採用することが好ましいが、これまでの画像読取装置では、原稿搬送装置により搬送される原稿を原稿ガラスから浮かせた状態で読み取り、更にフラットベッド領域では読み取りセンサーが副走査方向に移動しながら原稿を読み取る構成において、密着光学系方式を採用することに対し特段の考慮がなされていなかった。
【０００８】
そこで本発明はこの様な状況に鑑みなされたものであり、その目的は、自動原稿搬送による読み取りと読み取りセンサーの移動による読み取りとの双方を適切に行いつつ、装置の小型化にも配慮された画像読取装置を提供することにある。
【課題を解決するための手段】
【０００９】
上記課題を解決する為の、本発明の第１の態様に係る画像読取装置は、原稿読み取り位置に原稿を搬送する原稿搬送手段と、前記原稿読み取り位置に設けられた第１透明部材と、前記第１透明部材と併設された、原稿が載置される第２透明部材と、前記第１透明部材及び前記第２透明部材に沿って移動可能に設けられ、前記第１透明部材及び前記第２透明部材を介して原稿を読み取る読取手段と、を備え、前記原稿読み取り位置において原稿と前記第１透明部材との間には隙間が形成され、前記隙間の大きさをｓ、前記第１透明部材の屈折率をｎ１、前記第１透明部材の厚みをｔ１、前記第２透明部材の屈折率をｎ２、前記第２透明部材の厚みをｔ２、前記読取手段が備える読取レンズの上面と前記第１透明部材との間隔をｄ１、前記読取レンズの上面と前記第２透明部材との間隔をｄ２、としたときに、[ｓ＋ｔ１／ｎ１＋ｄ１]で得られる値と、[ｔ２／ｎ２＋ｄ２]で得られる値と、が同じかほぼ等しいことを特徴とする。
【００１０】
近軸光学では、厚さｔ、屈折率ｎの平行平面板に対し垂直に光が入射した際の光路長は、空気中における光路長ｔ／ｎと等価である。これに従い、本態様では、自動原稿搬送による読み取り時の光路長[ｓ＋ｔ１／ｎ１＋ｄ１]と、読取手段の移動による読み取り時の光路長[ｔ２／ｎ２＋ｄ２]と、が同じかほぼ等しくなる様に構成した。これにより、前記読取手段の構成に拘わらず、自動原稿搬送による読み取りと読取手段の移動による読み取りとの双方において良好な画像が得られる。そしてまた、自動原稿搬送による読み取り時には、前記第１透明部材と原稿との間に隙間ｓが形成されるので、前記第１透明部材に傷等を形成する問題を回避できる。
【００１１】
本発明の第２の態様は、第１の態様において、前記間隔ｄ１と前記間隔ｄ２とが同じかほぼ等しく、前記厚みｔ２が、前記隙間ｓ＋前記厚みｔ１に合わせて設定されていることを特徴とする。
【００１２】
本発明の第３の態様は、第１の態様において、前記厚みｔ１と前記厚みｔ２と、が同じかほぼ等しいとともに、前記屈折率ｎ１と前記屈折率ｎ２と、が同じかほぼ等しいことを特徴とする。
【００１３】
本態様によれば、前記第１透明部材の厚みｔ１と、前記第２透明部材の厚みｔ２と、が同じかほぼ等しいとともに、前記第１透明部材の屈折率ｎ１と、前記第２透明部材の屈折率ｎ２と、が同じかほぼ等しいので、前記第１透明部材と前記第２透明部材とに同じ材料を用いることができ、装置の低コスト化を図ることができる。
【００１４】
本発明の第４の態様は、第１の態様において、前記第２透明部材において前記読取手段と対向する側に厚みｇのシート材が貼り付けられ、前記読取手段の一部が前記シート材に接することで、前記間隔ｄ２の一部を前記厚みｇが構成することを特徴とする。
【００１５】
本態様によれば、前記第２透明部材において前記読取手段と対向する側に厚みｇのシート材が貼り付けられ、前記読取手段の一部が前記シート材に接することで、前記間隔ｄ２の一部を前記厚みｇが構成するので、前記第１透明部材と前記第２透明部材のそれぞれの厚みが異なる場合であっても、前記間隔ｄ２を容易に調整することができる。
【００１６】
本発明の第５の態様は、第１から第４の態様のいずれかにおいて、前記第１透明部材において前記読取手段と対向する面と、前記第２透明部材において前記読取手段と対向する面と、が面一であることを特徴とする。
【００１７】
本態様によれば、前記第１透明部材において前記読取手段と対向する面と、前記第２透明部材において前記読取手段と対向する面と、が面一であるので、前記読取手段が前記第１透明部材と対向する位置から前記第２透明部材と対向する位置に移動する際、或いはその逆の移動の際に、段差が無い状態であるため円滑に移動することができる。
【００１８】
また、前記読取手段を前記第１透明部材及び前記第２透明部材に対して押し付ける構成を備える場合、その際の付勢力が前記第１透明部材に対する場合と前記第２透明部材に対する場合とで変化することを回避でき、良好な読み取り精度を維持できる。  
尚、ここでの「面一」とは、前記第１透明部材において前記読取手段と対向する面と、前記第２透明部材において前記読取手段と対向する面と、の間に段差が全く無い場合のほか、部品精度や組み立て精度の狂いによって多少の段差が生じている状態をも含む意味である。
【００１９】
本発明の第６の態様は、第１から第５の態様のいずれかにおいて、前記読取手段には、前記第１透明部材及び前記第２透明部材に対して突出する第１突出部及び第２突出部が設けられ、前記読取手段が前記第１透明部材と対向する位置にある場合、前記第１突出部及び前記第２突出部のうち前記第１突出部のみが前記第１透明部材と接することで、前記間隔ｄ１が規定され、前記読取手段が前記第２透明部材と対向する位置にある場合、前記第１突出部及び前記第２突出部のうち前記第２突出部のみが前記第２透明部材と接することで、前記間隔ｄ２が規定される構成を備えることを特徴とする。
【００２０】
本態様によれば、前記読取手段に設けられた前記第１突出部と前記第２突出部とが、それぞれ前記間隔ｄ１、ｄ２を規定する構成であるので、前記間隔ｄ１、ｄ２を構造簡単にして低コストに調整することができる。
【００２１】
本発明の第７の態様は、原稿読み取り位置に原稿を搬送する原稿搬送手段と、前記原稿読み取り位置に設けられた第１透明部材と、前記第１透明部材と併設された、原稿が載置される第２透明部材と、前記第１透明部材及び前記第２透明部材に沿って移動可能に設けられ、前記第１透明部材及び前記第２透明部材を介して原稿を読み取る読取手段と、を備え、前記原稿読み取り位置において原稿と前記第１透明部材との間には隙間が形成され、前記読取手段は、前記第１透明部材及び前記第２透明部材に沿って移動する際に摺動する摺動面を有し、前記摺動面から、前記第１透明部材から離間した原稿までの距離と、前記摺動面から、前記第２透明部材の原稿載置面までの距離とが、前記読取手段の被写界深度内で原稿に焦点が合うように揃えられていることを特徴とする。
【００２２】
本態様によれば、前記読取手段の前記摺動面から、前記第１透明部材から離間した原稿までの距離と、前記摺動面から、前記第２透明部材の原稿載置面までの距離とが、前記読取手段の被写界深度内で原稿に焦点が合うように揃えられているので、前記読取手段の構成に拘わらず、自動原稿搬送による読み取りと読取手段の移動による読み取りとの双方において良好な画像が得られる。そしてまた、自動原稿搬送による読み取り時には、前記第１透明部材と原稿との間に隙間が形成されるので、前記第１透明部材に傷等を形成する問題を回避できる。
【図面の簡単な説明】
【００２３】
【図１】本発明に係るスキャナーの外観斜視図。
【図２】本発明に係るスキャナーの外観斜視図。
【図３】本発明に係るスキャナーの側断面図。
【図４】本発明に係るスキャナーの要部側断面図。
【図５】読み取り部の部分拡大斜視図。
【図６】読み取り部、第１原稿ガラス、第２原稿ガラス、のこれら関係を示す平面図。
【図７】読み取り部と原稿との位置関係を示す図。
【図８】本発明の第１実施形態を示す、スキャナーの側断面図（模式図）。
【図９】本発明の第２実施形態を示す、スキャナーの側断面図（模式図）。
【図１０】本発明の第３実施形態を示す、スキャナーの側断面図（模式図）。
【図１１】本発明の第３実施形態における読み取り部、第１原稿ガラス、第２原稿ガラス、のこれら関係を示す平面図。
【図１２】本発明の第３実施形態を示す、読み取り部の要部正面図。
【発明を実施するための形態】
【００２４】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２５】
図１及び図２は本発明に係るスキャナー１の外観斜視図、図３はスキャナー１の側断面図、図４はスキャナー１の要部側断面図、図５は読み取り部５の部分拡大斜視図、図６は読み取り部５、第１原稿ガラス３、第２原稿ガラス４、のこれら関係を示す平面図、図７は読み取り部５と原稿との位置関係を示す図である。
【００２６】
また、図８は本発明の第１実施形態を示す、スキャナーの側断面図（模式図）、図９は同第２実施形態を示す図である。更に、図１０は本発明の第３実施形態を示す、スキャナーの側断面図（模式図）、図１１は第３実施形態における読み取り部５Ｃ、第１原稿ガラス３Ｃ、第２原稿ガラス４Ｃ、のこれら関係を示す平面図、図１２は第３実施形態を示す、読み取り部５Ｃの要部正面図である。
【００２７】
尚、図１〜図７は、図８以降に示す第１乃至第３実施形態に共通の構成を説明するための図であり、第１〜第３実施形態に関連する構成部分については、主として第１実施形態に準じて示している。  
また、各図に示すｘ−ｙ−ｚ座標系は、ｘ方向が原稿幅方向であって読み取り部５の観点では主走査方向であり、ｙ方向が用紙搬送方向であって読み取り部５の観点では副走査方向であり、ｚ方向が装置高さ方向であって鉛直方向である。
【００２８】
以下、本発明に係る画像読取装置の一例としてのスキャナー１の全体構成を概説する。図１〜図３において、画像読取装置としてのスキャナー１は、スキャナー本体２の上部に、原稿搬送手段としての原稿搬送装置（ＡＤＦ（Auto Document Feeder））２０を備えている。原稿搬送装置２０は複数枚の原稿（図３において符号Ｍ１）をセット可能であるとともに、スキャナー本体２における読み取り位置に向けてセットされた原稿Ｍ１を１枚ずつ給送する。  
スキャナー本体２は、原稿搬送装置２０により搬送された原稿を読み取る。
【００２９】
符号２１は給送トレイを示している。原稿Ｍ１は、給送トレイ２１上に載置される。給送トレイ２１には、セットされた原稿Ｍ１の両サイドをガイドするエッジガイド２３Ａ、２３Ｂが設けられている。エッジガイド２３Ａ、２３Ｂは、原稿Ｍ１の幅方向（給送方向と直交する方向）に変位可能に設けられ、また、図示を省略するラックピニオン機構によって、互いに近接する方向に、或いは互いに離間する方向へと変位する様に設けられている。  
符号３３は、読み取りが完了して排出される原稿Ｍ１を受ける排出トレイである。  
【００３０】
原稿搬送装置２０は、不図示のヒンジを介してスキャナー本体２に対して回動可能に連結されている。原稿搬送装置２０においてスキャナー本体２と対向する側には原稿マット２２（図２）が設けられている。  
スキャナー本体２において符号４は第２透明部材としての第２原稿ガラスを示しており、第２原稿ガラス４に載置された原稿は、原稿搬送装置２０が閉じられると、原稿マット２２により押圧され、その被読み取り面が第２原稿ガラス４に密着する。尚、第２原稿ガラス４に載置される原稿は、図８以降では符号Ｍ２で示される。
【００３１】
本実施形態においてスキャナー１は一例としてフラットベッド型のスキャナーであり、図３に示す様に第１原稿ガラス３、第２原稿ガラス４に対して移動可能な読み取り部５が、第１原稿ガラス３、第２原稿ガラス４の下側に設けられている。第２原稿ガラス４に載置された原稿は、読み取り部５の移動により読み取られる。  
尚、図８以降を参照しつつ後述する第１〜第３実施形態において、第２原稿ガラス４は、それぞれ符号４Ａ、４Ｂ、４Ｃで示され、また、読み取り部５は、符号５Ａ（第１、第２実施形態）、符号５Ｂ（第３実施形態）でそれぞれ示される。
【００３２】
一方、スキャナー本体２には、第２原稿ガラス４に対し第１透明部材としての第１原稿ガラス３が併設されている。第１原稿ガラス３は、原稿搬送装置２０により読み取り位置に搬送された原稿を読み取る際に、後述する読み取り部５と原稿Ｍ１との間に位置するガラスである。尚、図８以降を参照しつつ後述する第１〜第３実施形態において、第１原稿ガラス３は、それぞれ符号３Ａ、３Ｂ、３Ｃで示される。
【００３３】
尚、本実施形態において第１原稿ガラス３及び第２原稿ガラス４は、いずれもガラス材により形成されているが、第１原稿ガラス３は第２原稿ガラス４に比して形状が細長である為、第１原稿ガラス３及び第２原稿ガラス４の双方、或いは少なくとも第１原稿ガラス３を強化ガラスにより形成しても良い。
【００３４】
原稿読取手段としての読み取り部５は、第１原稿ガラス３、第２原稿ガラス４に向けて光を照射し、またその反射光を受光して原稿の情報を読み取る光学ユニットとして構成され、本実施形態では密着光学系（Contact Image Sensor)方式の光学ユニットとして構成される。  
尚、読み取り部５のより詳細な構造については後に説明する。
【００３５】
読み取り部５は主走査方向（ｘ方向）に延設されるとともに、副走査方向（ｙ方向）に移動可能なキャリッジ７に設けられている。キャリッジ７は、副走査方向に延設されたガイド部材８によりガイドされながら、不図示のモーターの動力を受けて、副走査方向に移動する。  
尚、第２原稿ガラス４に載置された原稿を読み取る場合、読み取り部５は副走査方向に移動しながら読み取りを行う。一方、原稿搬送装置２０により搬送される原稿を読み取る場合、読み取り部５は第１原稿ガラス３の下側に停止し（図３の状態）、その停止状態を維持した状態で原稿読み取りを行う。
【００３６】
続いて、図３、図４及び適宜その他の図をも参照しつつ原稿搬送装置２０における原稿搬送経路を説明する。尚、図３及び図４において符号ｅで示す破線は、原稿搬送装置２０内を搬送される原稿Ｍ１の通過軌跡を示している。  
複数枚の原稿Ｍ１をセット可能な給送トレイ２１は、不図示のリンク機構及びモーターにより構成される昇降機構によって、最上位の原稿Ｍ１が給送ローラー２４に当接する姿勢（上昇姿勢）と、給送ローラー２４から待避する姿勢（下降姿勢）と、を切り換え可能となっている。
【００３７】
給送トレイ２１の先端（送り出し方向先端）の上方に設けられた給送ローラー２４は、図示を省略するモーターによって駆動される。給送ローラー２４は、外周面が高摩擦材（ゴム）により形成されている。  
給送ローラー２４は上下方向に変位可能に設けられており、給送トレイ２１の下降姿勢では下降しており（実線）、給送トレイ２１が上昇すると、原稿Ｍ１によって符号２４’および２点鎖線で示すように押し上げられる。  
そして給送トレイ２１、給送ローラー２４がともに上昇した状態で給送ローラー２４が回転駆動されることにより、最上位の原稿Ｍ１が送り出される。
【００３８】
給送ローラー２４の下流側には、図示を省略するモーターによって正転方向に駆動される分離ローラー２６と、この分離ローラー２６との間で原稿をニップする、所定の回転抵抗が付与されたリタードローラー２５とが対向配置されている。給送ローラー２４により送り出された原稿Ｍ１は、分離ローラー２６とリタードローラー２５とによってニップされた状態で搬送されるとともに、次位以降の原稿Ｍ１の重送が防止される。
【００３９】
分離ローラー２６及びリタードローラー２５より下流側の原稿搬送経路には、搬送ローラー対２７、２８、２９、３０、３１が設けられており、これら複数の搬送ローラー対によって原稿Ｍ１は搬送経路を搬送される。特に、搬送ローラー対２７から搬送ローラー対２９に向かう原稿搬送経路は、原稿Ｍ１を湾曲反転させる湾曲反転経路となっている。  
符号３２は排出ローラー対であり、この排出ローラー対３２によって、読み取りの行われた原稿Ｍ１が排出トレイ３３へと排出される。
【００４０】
上記搬送ローラー対２７〜３１及び排出ローラー対３２は、少なくとも一方側のローラーが不図示のモーターにより回転駆動され、他方側のローラーが従動回転する。  
特に搬送ローラー対２９については、符号２９ａが駆動ローラー、符号２９ｂが従動ローラーである。また、搬送ローラー対３０については、符号３０ａが駆動ローラー、符号３０ｂが従動ローラーである。
【００４１】
搬送ローラー対２９と搬送ローラー対３０の間では、原稿Ｍ１は第１原稿ガラス３と対向する位置に到達する。この位置では読み取り部５が停止しており、原稿Ｍ１の搬送動作を利用して、読み取り部５によるスキャニングが行われる。
【００４２】
また、原稿Ｍ１の両面を読み取る為、搬送ローラー対３０の下流には更に読み取り部６が設けられている。この読み取り部６は、原稿に向けて光を照射し、またその反射光を受光して原稿の情報を読み取る光学ユニットとして構成される点で上述した読み取り部５と同様であるが、読み取り部５とは異なり固定的に設けられ、原稿搬送装置２０を利用して搬送される原稿Ｍ１のみを読み取る。
【００４３】
以上がスキャナー１が備える原稿搬送装置２０の構成であり、以下、スキャナー１の構成について更に説明する。  
図４において符号３９はシート材を示している。シート材３９は原稿搬送装置２０により搬送される原稿Ｍ１が第１原稿ガラス３に接しない様に、原稿Ｍ１と第１原稿ガラス３との間に大きさｓ（図８）の隙間を形成する。シート材３９の厚み（隙間ｓ）は、０．１〜０．７ｍｍ程度（例えば０．５ｍｍ）に設定できる。
【００４４】
この様にシート材３９によって原稿Ｍ１と第１原稿ガラス３との間に隙間ｓ（図８）が形成されることで、搬送される原稿Ｍ１が第１原稿ガラス３のガラス面上に擦り傷を形成したり、或いは原稿Ｍ１に付着している紙粉、糊等の異物がガラス面に付着し、読み取り不良を招く問題を回避できる。
【００４５】
シート材３９は、本実施形態では第１原稿ガラス３に貼り付けられている。但し、これに限らず、例えば原稿搬送装置２０側にシート材３９を設け、原稿搬送装置２０が閉じられた状態においてシート材３９が第１原稿ガラス３に押圧される様に構成しても良い。
【００４６】
尚、原稿Ｍ１と第１原稿ガラス３との間の隙間ｓは、シート材３９から離れるに従ってばらつき易い。従って原稿搬送装置２０により搬送される原稿Ｍ１を読み取る場合、良好な読み取り結果を得る為に、読み取り部５による読み取り位置は図４に示す様な位置、即ちシート材３９の下流近傍が好ましい。しかしながらこの場合、シート材３９が読み取り部５による読み取り結果に影響を与える虞がある。従ってシート材３９は、光透過率の高い材料（透明または半透明）で形成することが好ましい。  
また、シート材３９が原稿Ｍ１の搬送に極力負荷を与えない様に、シート材３９は低摩擦材料により形成することが好ましい。
【００４７】
尚、原稿Ｍ１がシート材３９に接しながら搬送されることでシート材３９が帯電する場合がある。その様な帯電を防止する為に、シート材３９を金属材料で形成するとともに当該シート材３９をアース接続する構成としても良い。
【００４８】
また、原稿Ｍ１が確実に第１原稿ガラス３から浮き上がる様に、読み取り位置に対し下流側の搬送ローラー対３０による原稿搬送速度を、読み取り位置に対し上流側の搬送ローラー対２９による原稿搬送速度より高速に設定しても良い。  
尚、図４において符号３８は、原稿Ｍ１の浮き上がり位置を規定するガイド部材である。
【００４９】
尚、原稿先端或いは後端については、シート材３９による原稿浮き上がり効果を得にくい為、原稿先端領域或いは後端領域の読み取りデータについてソフトウェア的に例えばエッジを強調させる等の処理を行っても良いし、或いは読み取り可能領域外としてデータそのものを破棄しても良い。
【００５０】
続いて、図２及び図４において符号３５は第１原稿ガラス３と第２原稿ガラス４との間に設けられるフレーム部材であり、このフレーム部材３５に、原稿Ｍ１を下流側の搬送ローラー対３０に案内するガイド斜面３６が形成されている。尚、図４において符号３４は、ガイド斜面３６と対向する位置に設けられた、自由回転可能なガイドローラーである。
【００５１】
また、フレーム部材３５には読み取り部５の側に突出する様に移動補助部３７が形成されている。移動補助部３７は逆台形の形状をなしており、読み取り部５が第１原稿ガラス３から第２原稿ガラス４に移動する際、或いはその逆方向に移動する際、読み取り部５を第１原稿ガラス３と第２原稿ガラス４との間の隙間から離すことで、ガラス縁への読み取り部５の引っ掛かりを抑制する。  
この移動補助部３７の形状（斜面の角度等）については、第１原稿ガラス３と第２原稿ガラス４との間の段差等に応じて適宜変更することができる。
【００５２】
続いて読み取り部５の構成について図４〜図７を参照しつつ説明する。読み取り部５は、主走査方向に延びる形状を成すフレーム１５に、同様に主走査方向に延びる形状を成す基板１０、レンズアレイ１１、ライトガイド１２、１２を備えている。基板１０には不図示のセンサー（例えばＣＭＯＳセンサー）が設けられ、このセンサーに対し読取レンズとしてのレンズアレイ１１が間隔Ａ（図７）を空けて対向配置されている。ライトガイド１２、１２には不図示の光源（例えばＬＥＤ）からの光が入射し、そしてライトガイド１２、１２から原稿に対して照射される様に構成されている。照射された光は原稿で反射し、この反射光がレンズアレイ１１を介して基板１０上のセンサーに照射され、読み取りが行われる。
【００５３】
レンズアレイ１１の下面とセンサーとの間隔Ａと、レンズアレイ１１の上面と原稿読み取り面との間隔Ｂ（図７）とが同じとなるように、各原稿ガラスの厚み等のパラメーターが設定される（詳しくは後述）。
【００５４】
続いて、フレーム１５の長手方向両端部には、スペーサー部材１３が設けられている。スペーサー部材１３において第１原稿ガラス３及び第２原稿ガラス４と対向する位置には突起１４Ａ、１４Ａが副走査方向（ｙ方向）に所定間隔を空けて形成されている。一方、キャリッジ７において読み取り部５は、不図示の付勢手段（例えば、ばね）によって第１原稿ガラス３及び第２原稿ガラス４に向けて付勢されている。
【００５５】
そしてその付勢力により、突起１４Ａ、１４Ａが第１原稿ガラス３或いは第２原稿ガラス４の下側（或いは後述するシート材）に接触しながら、読み取り部５が移動する様に構成されている。換言すれば、突起１４Ａ、１４Ａは、レンズアレイ１１の上面と原稿との間の間隔Ｂを規定する。突起１４Ａ、１４Ａは、第１原稿ガラス３及び第２原稿ガラス４に沿って移動する際に摺動する摺動面を構成する。  
尚、レンズアレイ１１の上面と第１原稿ガラス３との間隔ｄ１（図８）或いはレンズアレイ１１の上面と第２原稿ガラス４との間の間隔ｄ２（図８）は、レンズアレイ１１と各原稿ガラス下側との接触を回避する為に例えば０．５ｍｍ以上確保することが好ましい。
【００５６】
■■■第１実施形態■■■■■■■■■■■■■■■■■■■■■■■■■■■■■
図８を参照しつつ、本発明の第１実施形態について説明する。尚、図４では図示の簡略化の為適宜ハッチングは省略し、また、極力説明に必要な構成要素のみを示し、その他の構成要素は図示を省略している。更に図８では、説明の便宜上、第１原稿ガラス３Ａの下側に読み取り部５Ａが位置する場合と、第２原稿ガラス４Ａの下側に読み取り部５Ａが位置する場合との双方について読み取り部５Ａを実線で示している。これらの図の特徴については、後述する図９以降においても同様である。
【００５７】
本実施形態において第１原稿ガラス３Ａの厚みｔ１と、第２原稿ガラス４Ａの厚みｔ２は異なっているとともに、下面が面一となるように両原稿ガラスが設けられている。従って本実施形態では、レンズアレイ１１の上面と第１原稿ガラス３Ａの下面との間の間隔ｄ１と、レンズアレイ１１の上面と第１原稿ガラス３Ａの下面との間の間隔ｄ２とは同じである。第１原稿ガラス３Ａの厚みｔ１は、例えば２．８ｍｍ程度に設定でき、第２原稿ガラス４Ａの厚みｔ２は、例えば３．２ｍｍ程度に設定できる。
【００５８】
また、第１原稿ガラス３Ａの屈折率はｎ１、第２原稿ガラス４Ａの屈折率はｎ２、である。本実施形態において第１原稿ガラス３Ａと第２原稿ガラス４Ａは同一のガラスである為、ｎ１＝ｎ２である。
【００５９】
そして本実施形態では、[ｓ＋ｔ１／ｎ１＋ｄ１]で得られる値と、[ｔ２／ｎ２＋ｄ２]で得られる値と、が同じかほぼ等しく設定されている。  
即ち、近軸光学では、厚さｔ、屈折率ｎの平行平面板に対し垂直に光が入射した際の光路長は、空気中における光路長ｔ／ｎと等価である。これに従い、本実施形態では、原稿搬送装置２０による原稿読み取り時の光路長[ｓ＋ｔ１／ｎ１＋ｄ１]と、読み取り部５Ａの移動による読み取り時の光路長[ｔ２／ｎ２＋ｄ２]と、が同じかほぼ等しくなる様に構成した。尚、ここでの「ほぼ等しい」とは、部品精度や組み立て精度の狂いによって多少の誤差が生じている状態を含む意味である（以降の実施形態においても同様）。
【００６０】
換言すれば、本実施形態では、第１原稿ガラス３Ａ及び第２原稿ガラス４Ａとの摺動面を構成する突起１４Ａ、１４Ａから、第１原稿ガラス３Ａから離間した原稿Ｍ１までの距離（ｓ＋ｔ１）と、突起１４Ａ、１４Ａから、第２原稿ガラス４Ａの上面（原稿載置面）までの距離（ｔ２）とが、読み取り部５Ａの被写界深度内で原稿Ｍ１、Ｍ２の双方に焦点が合うように揃えられている。
【００６１】
これにより、原稿搬送装置２０による原稿読み取り時にシート材３９によって原稿Ｍ１が第１原稿ガラス３Ａから浮いていても、第２原稿ガラス４Ａに載置した原稿Ｍ２を読み取る際と同様に焦点が合い、自動原稿搬送による読み取りを適切に行うことができる。
【００６２】
また本実施形態では、第１原稿ガラス３Ａにおいて読み取り部５Ａと対向する面（下面）と、第２原稿ガラス４Ａにおいて読み取り部５Ａと対向する面（下面）と、が面一であるので、読み取り部５Ａが第１原稿ガラス３Ａから第２原稿ガラス４Ａへ移動する際、或いはその逆の移動の際に、段差が無い状態であるため読み取り部５Ａが円滑に移動することができる。  
尚、これに限らず、逆に第１原稿ガラス３Ａの上面と第２原稿ガラス４Ａの上面とを面一にしても良い。
【００６３】
尚、本実施形態では第１原稿ガラス３Ａの厚みｔ１と、第２原稿ガラス４Ａの厚みｔ２とが異なっている為、ガラス厚の違いに起因して第１原稿ガラス３Ａを介して読み取る場合と第２原稿ガラス４Ａを介して読み取る場合とで例えば読み取り濃度等が異なる場合がある。また、第１原稿ガラス３Ａでは原稿Ｍ１を浮かせた状態で読み取る為、それにより第１原稿ガラス３Ａを介して読み取る場合と第２原稿ガラス４Ａを介して読み取る場合とで読み取り濃度等が異なる場合がある。従ってこれらの相違を、適宜ソフトウェア処理によって補正しても良い。
【００６４】
■■■第２実施形態■■■■■■■■■■■■■■■■■■■■■■■■■■■■■
図９を参照しつつ、第１実施形態について説明する。  
本実施形態において第１原稿ガラス３Ｂの厚みｔ１と、第２原稿ガラス４Ｂの厚みｔ２は同じであるとともに、上面と下面とが面一となるように両原稿ガラスが設けられている。そして本実施形態では、第２原稿ガラス４Ｂの側にのみ厚みｇのシート材４０を貼り付けている。
【００６５】
シート材４０は、主走査方向（ｘ方向）において読み取り部５Ａの突起１４Ａ、１４Ａが接する位置にのみ貼り付けられており、レンズアレイ１１と対向する部分には貼り付けられていない。これにより、シート材４０が第２原稿ガラス４Ａを介した原稿読み取りを阻害することはない。  
以上により本実施形態では、読み取り部５Ａの一部である突起１４Ａ、１４Ａがシート材４０に接することで、間隔ｄ２の一部をシート材４０の厚みｇが構成した状態となる。
【００６６】
そして本実施形態でも、上述した第１実施形態と同様に、[ｓ＋ｔ１／ｎ１＋ｄ１]で得られる値と、[ｔ２（＝ｔ１）／ｎ２＋ｄ２]で得られる値と、が同じかほぼ等しく設定されている。
【００６７】
換言すれば、本実施形態でも、第１原稿ガラス３Ｂ及び第２原稿ガラス４Ｂとの摺動面を構成する突起１４Ａ、１４Ａから、第１原稿ガラス３Ｂから離間した原稿Ｍ１までの距離（ｓ＋ｔ１）と、突起１４Ａ、１４Ａから、第２原稿ガラス４Ｂの上面（原稿載置面）までの距離（ｔ２＋ｇ）とが、読み取り部５Ａの被写界深度内で原稿Ｍ１、Ｍ２の双方に焦点が合うように揃えられている。
【００６８】
これにより、原稿搬送装置２０による原稿読み取り時にシート材３９によって原稿Ｍ１が第１原稿ガラス３Ｂから浮いていても、第２原稿ガラス４Ｂに載置した原稿Ｍ２を読み取る際と同様に焦点が合い、自動原稿搬送による読み取りを適切に行うことができる。
【００６９】
尚、本実施形態では、第１原稿ガラス３Ｂの厚みｔ１と、第２原稿ガラス４Ｂの厚みｔ２と、が等しいとともに、第１原稿ガラス３Ｂの屈折率ｎ１と、第２原稿ガラス４Ｂの屈折率ｎ２と、が等しい。即ち、第１原稿ガラス３Ｂと第２原稿ガラス４Ｂとに同じ材料を用いることができ、装置の低コスト化を図ることができる。
【００７０】
尚、本実施形態では第１原稿ガラス３Ｂの厚みｔ１と、第２原稿ガラス４Ｂの厚みｔ２と、が等しいが、厚みが異なる場合であっても、シート材４０の厚みｇを調整することで、間隔ｄ２を容易に調整することができる。
【００７１】
本実施形態においてシート材４０は、例えば樹脂製のシート材で構成することができるほか、ガラス材で形成しても良い。この場合、読み取り部５Ａ（突起１４、１４）との摺動によるシート材４０の摩耗を抑制できるとともに、第１原稿ガラス３Ｂ側での摺動性と第２原稿ガラス４Ｂガラス側での摺動性を等しくすることができ、読み取り部５Ａの良好な移動動作を確保できる。
【００７２】
■■■第３実施形態■■■■■■■■■■■■■■■■■■■■■■■■■■■■■
図１０乃至図１２を参照しつつ、第３実施形態について説明する。  
本実施形態において第１原稿ガラス３Ｃの厚みｔ１と、第２原稿ガラス４Ｃの厚みｔ２は同じであるとともに、上面と下面とが面一となるように両原稿ガラスが設けられている。そして本実施形態では、読み取り部５Ｂに、突出量の異なる突起１４Ｂ、１４Ｃが形成されているとともに、相対的に突出量の少ない突起１４Ｂが第１原稿ガラス３Ｃに当接し、相対的に突出量の多い突起１４Ｃが第２原稿ガラス４Ｃに当接する様に構成されている。
【００７３】
「第１突出部」としての突起１４Ｂは、図１１、図１２に示す様に主走査方向（ｘ方向）において、相対的に「第２突出部」としての突起１４Ｃより内側に設けられている。一方、第１原稿ガラス３Ｃは、図１１に示すように主走査方向（ｘ方向）における長さが第２原稿ガラス４Ｃよりやや短く形成されている。これにより、読み取り部５Ｂが第１原稿ガラス３Ｃと対向する場合には、突起１４Ｂが第１原稿ガラス３Ｃに当接し、間隔ｄ１を規定する。また、読み取り部５Ｂが第２原稿ガラス４Ｃと対向する場合には、突起１４Ｃが第２原稿ガラス４Ｃに当接し、間隔ｄ２を規定する。
【００７４】
そして本実施形態でも、上述した第１、第２実施形態と同様に、[ｓ＋ｔ１／ｎ１＋ｄ１]で得られる値と、[ｔ２（＝ｔ１）／ｎ２＋ｄ２]で得られる値と、が同じかほぼ等しく設定されている。これにより、原稿搬送装置２０による原稿読み取り時にシート材３９によって原稿Ｍ１が第１原稿ガラス３Ｃから浮いていても、第２原稿ガラス４Ｃに載置した原稿Ｍ２を読み取る際と同様に焦点が合い、自動原稿搬送による読み取りを適切に行うことができる。
【００７５】
そして本実施形態では、突起１４Ｂ、１４Ｃが、それぞれ間隔ｄ１、ｄ２を規定する構成であるので、間隔ｄ１、ｄ２を構造簡単にして低コストに調整することができる。  
尚、本実施形態では第１原稿ガラス３Ｃの厚みｔ１と、第２原稿ガラス４Ｃの厚みｔ２と、が等しいが、厚みが異なる場合であっても、突起１４Ｂ、１４Ｃの突出量を調整することで、間隔ｄ１、ｄ２を容易に調整することができる。
【符号の説明】
【００７６】
１  スキャナー、２  スキャナー本体、３Ａ、３Ｂ、３Ｃ  第１原稿ガラス、４Ａ、４Ｂ、４Ｃ  第２原稿ガラス、５Ａ、５Ｂ  読み取り部、６  読み取り部、７  キャリッジ、８  ガイド部材、１０  基板、１１  レンズアレイ、１２  ライトガイド、１３  スペーサー部材、１４Ａ、１４Ｂ、１４Ｃ  突起、１５  フレーム、２０  原稿搬送装置、２１  給送トレイ、２２  原稿マット、２３Ａ、２３Ｂ  エッジガイド、２４  給送ローラー、２５  リタードローラー、２６  分離ローラー、２７〜３１  搬送ローラー対、３２  排出ローラー対、３３  排出トレイ、３４  ガイドローラー、３５  フレーム部材、３６  ガイド斜面、３７  移動補助部、３８  ガイド部材、３９  シート材、４０  シート材、Ｍ１、Ｍ２  原稿
【図１】
0006531517.tif 000002
【図２】
0006531517.tif 000003
【図３】
0006531517.tif 000004
【図４】
0006531517.tif 000005
【図５】
0006531517.tif 000006
【図６】
0006531517.tif 000007
【図７】
0006531517.tif 000008
【図８】
0006531517.tif 000009
【図９】
0006531517.tif 000010
【図１０】
0006531517.tif 000011
【図１１】
0006531517.tif 000012
【図１２】
0006531517.tif 000013